(57)【要約】  透明導電体を備える構造体の一例としてのアンテナ構造体１は、透明導電体の一例としてのアンテナ１２を有し、可視光を透過するシート１１と、シート１１を設備の一例である天井１００の非可視側から位置決めするための位置決め構造体６０と、シート１１を天井１００の可視側から位置決めするための、位置決め構造体６０に対向する位置にレンズ部３０を有し、可視光を透過するフランジ５０とを備える。
2019043756.tif 000002
【特許請求の範囲】
【請求項１】
透明導電体を有し、可視光を透過する基材と、
前記基材を設備の非可視側から位置決めするための位置決め構造体と、
前記基材を前記設備の可視側から位置決めするための、前記位置決め構造体に対向する位置にレンズ部を有し、可視光を透過するフランジと
を備えることを特徴とする透明導電体を備える構造体。
【請求項２】
前記フランジの有する前記レンズ部は、凹レンズであることを特徴とする請求項１に記載の透明導電体を備える構造体。
【請求項３】
前記レンズ部の凹レンズは、非可視側が凹面、可視側が当該凹面に沿った階段状の面を含んで構成されていることを特徴とする請求項２に記載の透明導電体を備える構造体。
【請求項４】
前記レンズ部の凹レンズは、フレネルレンズであることを特徴とする請求項２に記載の透明導電体を備える構造体。
【請求項５】
前記フランジは、前記基材の延びる方向と交差する方向に分割する分割構造であることを特徴とする請求項１乃至４のいずれか１項に記載の透明導電体を備える構造体。
【請求項６】
前記レンズ部は、前記フランジの前記分割構造により分割され、分割された当該レンズ部が前記基材を挟み込んで固定することを特徴とする請求項５に記載の透明導電体を備える構造体。
【請求項７】
前記位置決め構造体は、前記フランジの前記分割構造の分割方向とは交差する方向に分割するネジ部と、当該ネジ部にねじ込むことで当該フランジを前記設備に締め付ける締め付け部と、を有することを特徴とする請求項５または６に記載の透明導電体を備える構造体。
【請求項８】
前記フランジは、前記位置決め構造体の数に応じた複数の前記レンズ部を有し、複数の当該レンズ部を接続する連結部を有することを特徴とする請求項１に記載の透明導電体を備える構造体。
【請求項９】
前記透明導電体に対して給電するための給電部材が接続される給電部を備え、
前記給電部は、前記設備に前記基材が取り付けられた際、当該基材に対して当該設備の非可視側に向けた位置に設けられることを特徴とする請求項１に記載の透明導電体を備える構造体。
【請求項１０】
前記給電部は、前記フランジと一体的に形成され、当該フランジから前記基材の取り付け側とは反対側の位置に形成されることを特徴とする請求項９に記載の透明導電体を備える構造体。
【請求項１１】
アンテナを構成する透明導電体を有し、可視光を透過する基材と、
前記基材を設備の非可視側から位置決めするための位置決め構造体と、
前記基材を前記設備の可視側から位置決めするための、前記位置決め構造体に対向する位置にレンズ部を有し、可視光を透過するフランジと
を備えることを特徴とするアンテナ構造体。
【請求項１２】
電波遮蔽膜を構成する透明導電体を有し、可視光を透過する基材と、
前記基材を設備の非可視側から位置決めするための位置決め構造体と、
前記基材を前記設備の可視側から位置決めするための、前記位置決め構造体に対向する位置にレンズ部を有し、可視光を透過するフランジと
を備えることを特徴とする電波遮蔽構造体。
【発明の詳細な説明】
【技術分野】
【０００１】
本発明は、設備に取り付けられる透明導電体を備える構造体、アンテナ構造体および電波遮蔽構造体に関する。
【背景技術】
【０００２】
特許文献１では、ガラス張りの面に容易に組み込むために、ＲＦ信号を送受信する放射素子のアレイを有する光透過性アンテナを備える光透過性パネルアンテナ・アセンブリに関し、該アセンブリは、光透過性反射器を備え、該反射器は、下壁および２つの側壁を有し、各側壁は下壁から延びて、この反射器の両側壁の間に放射素子のアレイを保持する技術が開示されている。
【先行技術文献】
【特許文献】
【０００３】
【特許文献１】特表２０１６−５２５８４９号公報
【発明の概要】
【発明が解決しようとする課題】
【０００４】
一般に、可視光透過アンテナなどの透明導電体を備える構造体は、構造体が透明で環境に溶け込むことを目指して設計されている。しかしながら、このような構造体には、例えば透明導電体に給電するための接続部や、例えばケーブルとの接続部などがある。そのため、構造体が天井などの設備に貫通孔などを設けて固定される際、接続部などの要素が例えば不透明であることから、透明導電体を備える構造体と設備との姿態を良好とするには限界があった。【０００５】
本発明の目的は、設備に取り付けられた際に、本技術を採用しない場合に比べて設備の可視側からの視覚的外観をより良好とする透明導電体を備える構造体を提供することにある。
【課題を解決するための手段】
【０００６】
請求項１に記載の発明は、透明導電体を有し、可視光を透過する基材と、前記基材を設備の非可視側から位置決めするための位置決め構造体と、前記基材を前記設備の可視側から位置決めするための、前記位置決め構造体に対向する位置にレンズ部を有し、可視光を透過するフランジとを備えることを特徴とする透明導電体を備える構造体である。
請求項２に記載の発明は、前記フランジの有する前記レンズ部は、凹レンズであることを特徴とする請求項１に記載の透明導電体を備える構造体である。
請求項３に記載の発明は、前記レンズ部の凹レンズは、非可視側が凹面、可視側が当該凹面に沿った階段状の面を含んで構成されていることを特徴とする請求項２に記載の透明導電体を備える構造体である。
請求項４に記載の発明は、前記レンズ部の凹レンズは、フレネルレンズであることを特徴とする請求項２に記載の透明導電体を備える構造体である。
請求項５に記載の発明は、前記フランジは、前記基材の延びる方向と交差する方向に分割する分割構造であることを特徴とする請求項１乃至４のいずれか１項に記載の透明導電体を備える構造体である。
請求項６に記載の発明は、前記レンズ部は、前記フランジの前記分割構造により分割され、分割された当該レンズ部が前記基材を挟み込んで固定することを特徴とする請求項５に記載の透明導電体を備える構造体である。
請求項７に記載の発明は、前記位置決め構造体は、前記フランジの前記分割構造の分割方向とは交差する方向に分割するネジ部と、当該ネジ部にねじ込むことで当該フランジを前記設備に締め付ける締め付け部と、を有することを特徴とする請求項５または６に記載の透明導電体を備える構造体である。
請求項８に記載の発明は、前記フランジは、前記位置決め構造体の数に応じた複数の前記レンズ部を有し、複数の当該レンズ部を接続する連結部を有することを特徴とする請求項１に記載の透明導電体を備える構造体である。
請求項９に記載の発明は、前記透明導電体に対して給電するための給電部材が接続される給電部を備え、前記給電部は、前記設備に前記基材が取り付けられた際、当該基材に対して当該設備の非可視側に向けた位置に設けられることを特徴とする請求項１に記載の透明導電体を備える構造体である。
請求項１０に記載の発明は、前記給電部は、前記フランジと一体的に形成され、当該フランジから前記基材の取り付け側とは反対側の位置に形成されることを特徴とする請求項９に記載の透明導電体を備える構造体である。
請求項１１に記載の発明は、アンテナを構成する透明導電体を有し、可視光を透過する基材と、前記基材を設備の非可視側から位置決めするための位置決め構造体と、前記基材を前記設備の可視側から位置決めするための、前記位置決め構造体に対向する位置にレンズ部を有し、可視光を透過するフランジとを備えることを特徴とするアンテナ構造体である。
請求項１２に記載の発明は、電波遮蔽膜を構成する透明導電体を有し、可視光を透過する基材と、前記基材を設備の非可視側から位置決めするための位置決め構造体と、前記基材を前記設備の可視側から位置決めするための、前記位置決め構造体に対向する位置にレンズ部を有し、可視光を透過するフランジとを備えることを特徴とする電波遮蔽構造体である。
【発明の効果】
【０００７】
請求項１の発明によれば、設備に取り付けられた際に、本技術を採用しない場合に比べて設備の可視側からの視覚的外観を良好とすることができる。
請求項２の発明によれば、設備に取り付けられた際に、凹レンズでない場合に比べて設備の可視側からの視覚的外観をより良好とすることができる。
請求項３の発明によれば、階段状の面を含まない場合に比べて設備の可視側からの視覚的外観をさらに良好とすることができる。
請求項４の発明によれば、フレネルレンズとしない場合に比べて可視側へ突出する部分が少なくなる。
請求項５の発明によれば、分割構造を採用しない場合に比べてコストを軽減できる。
請求項６の発明によれば、可視側に設けられるフランジによる固定機能を、本構成を採用しない場合に比べて良好とすることができる。
請求項７の発明によれば、本構成を採用しない場合に比べてアンテナが形成される基材をより良好に設備に取り付けることが可能となる。
請求項８の発明によれば、複数の位置決め構造体を有する構造体にて、設備の可視側からの視覚的外観をより良好とすることができる。
請求項９の発明によれば、可視側から給電部が見え難くなり、景観が良好となる。
請求項１０の発明によれば、可視側に位置するフランジと非可視側に延伸する給電部との一体性が得られる。
請求項１１の発明によれば、設備に取り付けられた際に、本技術を採用しない場合に比べてアンテナ構造体の設備の可視側からの視覚的外観を良好とすることができる。
請求項１２の発明によれば、設備に取り付けられた際に、本技術を採用しない場合に比べて電波遮蔽構造体の設備の可視側からの視覚的外観を良好とすることができる。
【図面の簡単な説明】
【０００８】
【図１】第１の実施の形態が適用されるアンテナ構造体の構成を示した斜視図である。（ａ）は、アンテナ構造体の構成、（ｂ）は、設備の一例である天井にアンテナ構造体を取り付けた状態を説明するための図である。
【図２】アンテナ構造体の詳細な構成を示した斜視図である。
【図３】図２に示すアンテナ構造体から位置決め構造体のナットを取り外した状態を示す斜視図である。
【図４】給電部を説明するための図である。
【図５】フランジ、位置決め構造体のネジ部、およびナットを説明するための構成図である。（ａ）は、フランジ、（ｂ）は、位置決め構造体のネジ部、（ｃ）は、位置決め構造体のナットを示す。
【図６】フランジにおけるレンズ部の構成及びレンズ部の作用を説明する図である。（ａ）は、レンズ部の構成、（ｂ）は、レンズ部を備える場合を説明する図、（ｃ）は、レンズ部を備えない場合を説明する図である。
【図７】レンズ部を用いることにより天井に設けた貫通孔や給電部が小さく見えることを説明する図である。
【図８】アンテナ構造体の変形例を示した図である。（ａ）は、４つのアンテナ部を備える場合、（ｂ）は、１つのアンテナ部を備える場合、（ｃ）は、アンテナ部の大きさが異なる場合である。
【図９】第２の実施の形態が適用されるアンテナ構造体の構成を示した斜視図である。（ａ）は、アンテナ構造体の構成、（ｂ）は、設備の一例である天井にアンテナ構造体を取り付けた状態を説明するための図である。
【図１０】フランジにおけるレンズ部の構成及びレンズ部の作用を説明する図である。（ａ）は、レンズ部の構成、（ｂ）は、レンズ部を備える場合を説明する図、（ｃ）は、レンズ部を備えない場合を説明する図である。
【図１１】第３の実施の形態が適用される電波遮蔽構造体の構成を示した斜視図である。（ａ）は、電波遮蔽構造体の構成、（ｂ）は、設備の一例である天井に電波遮蔽構造体を取り付けた状態を説明するための図である。
【発明を実施するための形態】
【０００９】
［第１の実施の形態］
以下、添付図面を参照して、本発明の第１の実施の形態について詳細に説明する。ここでは、透明導電体を備える構造体の一例として、透明導電体が透明アンテナであるアンテナ構造体１を説明する。後述するように、透明導電体は、透明アンテナ以外であってもよい。
（アンテナ構造体）
図１〜図６を用いて、第１の実施の形態が適用されるアンテナ構造体１について説明する。
図１は、第１の実施の形態が適用されるアンテナ構造体１の構成を示した斜視図である。図１（ａ）は、アンテナ構造体１の構成、図１（ｂ）は、設備の一例である天井１００にアンテナ構造体１を取り付けた状態を説明するための図である。また図２は、アンテナ構造体１の詳細な構成を示した斜視図である。また図３は、図２に示すアンテナ構造体１から位置決め構造体６０のナット７１を取り外した状態を示す斜視図である。また図４は、給電部２０を説明するための図である。更に図５は、フランジ５０、位置決め構造体６０のネジ部６１、およびナット７１を説明するための構成図である。図５（ａ）は、フランジ５０、図５（ｂ）は、位置決め構造体６０のネジ部６１、図５（ｃ）は、位置決め構造体６０のナット７１を示す。更にまた図６は、フランジ５０におけるレンズ部３０の構成及びレンズ部３０の作用を説明する図である。図６（ａ）は、レンズ部３０の構成、図６（ｂ）は、レンズ部３０を備える場合（ｗ  ３０）を説明する図、図６（ｃ）は、レンズ部３０を備えない場合（ｗ／ｏ  ３０）を説明する図である。
【００１０】
図１（ａ）、（ｂ）、図２、および図３において、Ｘ方向は、例えば設備の一例である天井１００の面の下方に起立したフィルム１１の、天井１００の表面に沿う延伸方向であり、Ｙ方向は、天井１００の表面に沿う、Ｘ方向に直交する方向である。また、Ｚ方向は、Ｘ方向およびＹ方向に対して直交する、天井１００の非可視側（上方）に向けた方向である。
【００１１】
図１（ａ）に示すように、第１の実施の形態が適用されるアンテナ構造体１は、高周波回路が形成され、例えばフレキシブルプリント基板の一つであるアンテナ部１０と、アンテナ部１０に対して給電するための給電部材の一つである同軸ケーブル４０が接続される給電部２０とを備えている。そして、アンテナ構造体１は、アンテナ部１０や給電部２０を、天井１００などの設備に位置決めするためのフランジ５０および位置決め構造体６０を備えている。後述するように、給電部２０は、位置決め構造体６０の内部に設けられている。そして、フランジ５０は、位置決め構造体６０に対向して可視側に設けられたレンズ部３０を備えている。レンズ部３０は、可視側から見た場合、給電部２０などを見えにくくする。そして、フランジ５０（レンズ部３０を含む。）は、透明な部材で構成されている。
【００１２】
なお、図１（ａ）において、レンズ部３０は、図１（ａ）に見える部分のアンテナ部１０を対称面とする構造体がアンテナ部１０の裏面側に構成されている。つまり、レンズ部３０は、アンテナ部１０により分割されている。なお、アンテナ部１０は、可視光透過部材で構成されているので、レンズ部３０は、全体として凹レンズとなる。
そして、アンテナ構造体１は、天井１００に設けられた貫通孔（後述する図６（ｂ）、（ｃ）の貫通孔１１０）に、可視側のフランジ５０と非可視側の位置決め構造体６０とにより天井１００に取り付けられている。
【００１３】
図１（ｂ）に示すように、天井１００の下方（居住スペース）である可視側から、天井１００に取り付けられたアンテナ構造体１を眺めると、アンテナ部１０とフランジ５０の可視側の部分とが見える。そして、貫通孔１１０の部分を眺めても、透明な部材で構成されたレンズ部３０により、貫通孔１１０の部分が見えにくいようになっている。このように、ユーザから見える露出部分の構造物を全て透明とするとともに、フランジ５０にレンズ部３０を設けることで、アンテナ構造体１を環境に溶け込ますことが可能となる。
以下、詳細に説明する。
【００１４】
〔アンテナ部１０〕
図２に示すように、アンテナ部１０は、フィルムアンテナとして構成することが可能であり、例えばＰＥＴ（Poly Ethylene Terephthalate）樹脂などの可視光を透過する光透過性の高い透明な樹脂製素材からなるフィルム１１を基材としている。そして、このフィルム１１に、光透過性が高くなるように導電材（透明導電体）の材料が選定され、および／または光透過性が高くなるように導電材（透明導電体）の配置が行なわれたアンテナ１２が形成されている。アンテナ１２は、例えば８００ＭＨｚ帯と２．１ＧＨｚ帯との２周波を共用する２周波共用アンテナ１２ａと、グランド（ＧＮＤ）に接続されるアンテナＧＮＤ部１２ｂとを備えている。
【００１５】
アンテナ構造体１では、２組のアンテナ１２が設けられており、複数個のアンテナ１２を組み合わせてデータ送受信のスループットを上げるＭＩＭＯ（multiple-input and multiple-output）システムに対応している。そして、個々のアンテナ１２に対応して給電部２０が設けられており、図２に示すアンテナ構造体１の例では２組のアンテナ１２、および給電部２０が形成されている。
【００１６】
〔フランジ５０〕
フランジ５０は、２組のアンテナ１２を結ぶアンテナ部１０の延びる方向（図のＸ方向）を長手方向とする長尺状の構造物である。このフランジ５０は、基材であるアンテナ部１０のフィルム１１の延びる方向と直交する方向（図のＹ方向）に分割する分割構造を有し、設備（例えば天井１００）の可視側（例えば天井１００の下側）からフィルム１１を位置決めする機能を有する。つまり、２つ（一対）のフランジ５０が、天井１００などの設備の可視側からアンテナ部１０を位置決めしている。そして、フランジ５０は、可視光を透過する、すなわち光透過性を有する透明な樹脂部材（可視光透過部材）によって形成されている。天井１００などの設備の色に適合させて色彩のついた可視光透過部材を採用してもよいし、設備の色や模様に適合させて、色彩や模様がついた可視光透過部材を採用してもよいが、他との互換性を高めるためには、無色の可視光透過部材で構成されることがより好ましい。このように無色の可視光透過部材で構成されることにより、設置場所に合わせて部材を選定する必要がなくなる。これにより多種類の部材を作る必要がなくなるため、大量生産しやすくなる。なお、フランジという用語は、個々のフランジ５０の他、２つ（一対）のフランジ５０をまとめたものに用いる。なお、フランジ５０は、基材であるアンテナ部１０のフィルム１１の延びる方向と交差する方向に分割する分割構造であってもよい。
【００１７】
２つ（一対）のフランジ５０は、天井１００などの設備の可視側からアンテナ部１０を位置決めしている。すなわち、アンテナ部１０のフィルム１１は、２組のアンテナ１２の間にて、一対のフランジ５０（後述する対峙面５１）に挟まれ、２組のアンテナ１２の間のフィルム１１の姿勢が、フランジ５０によって安定して保たれている。このように、フィルム１１は、一対のフランジ５０に挟まれて固定されることで、撓みなどが抑制されている。
【００１８】
図５（ａ）には、個々のフランジ５０の構成が示されている。設備に取り付けられる一対のフランジ５０は、部品点数を減らすために、同一の形状のものが採用されている。
図５（ａ）に示すように、フランジ５０は、長尺部５２を有し、この長尺部５２の一端および他端には、給電部２０を組み付けるための組み付け構造（組付構造）が形成されるとともに、レンズ部３０を構成するための２つの半凹レンズ（半凹レンズ３２、３３）を含む半レンズ部３１が形成される。なお、半凹レンズ３２と半凹レンズ３３とは、個々の端部が接続されている。半レンズ部３１の組付構造に接する面は、組付構造を取り囲むように幅広くなった面（幅広面３２ａ）を有している。そして、半レンズ部３１の幅広面３２ａは、長尺部５２の上面５２ａと同一面となるように構成されている。すなわち、フランジ５０は、給電部２０の数に応じた複数の組付構造及び半レンズ部３１を有し、この複数の組付構造及び半レンズ部３１を結ぶ連結部として長尺部５２を有する、とも言い換えられる。
【００１９】
２つのフランジ５０が合わさる際に対峙する対峙面５１は、アンテナ部１０のフィルム１１を挟み込んで固定する機能を備えている。対峙面５１は、長尺部５２、組付構造および半レンズ部３１の側面であって、長尺部５２および半レンズ部３１の側面にアンテナ部１０のフィルム１１が当接する。フィルム１１を挟む対峙面５１は、可視側（−Ｚ方向）に延びた半レンズ部３１の側面を含むことから、フィルム１１の姿勢が安定に保たれる。
なお、２つのフランジ５０の半レンズ部３１が合わされることで、レンズ部３０が構成される。
【００２０】
フランジ５０の長尺部５２の一端および他端に形成される給電部２０の組付構造は、天井１００（設備）の非可視側（Ｚ方向）に向けて伸びる位置に形成されており、給電部２０を押圧する押圧面５３よりもさらに非可視側に、凹部５４、凸部５５を有する。そして、押圧面５３にてネジを用いて給電基板（後述）を押圧するために、一方の押圧面５３の一端（可視側（−Ｚ方向））には、ネジ締め付け孔５６が形成され、他方の押圧面５３には、ネジ切り孔５７が形成されている。凹部５４および凸部５５は、その後の組み付けにて、位置決め構造体６０のネジ部６１と嵌合する。
【００２１】
フランジ５０の長尺部５２の一端および他端に形成される半レンズ部３１は、天井１００（設備）の可視側（−Ｚ方向）に向けて伸びる位置に形成されており、組付構造側の半凹レンズ３２と組付構造から遠い側の半凹レンズ３３とを備えている。つまり、第１の実施の形態では、半レンズ部３１で構成されるレンズ部３０は、２つの凹レンズ（二重凹レンズ）で構成されている。そして、半凹レンズ３２と半凹レンズ３３との間は、中空である。なお、半レンズ部３１が構成するレンズ部３０の詳細については、後述する。なお、レンズ部という用語は、レンズ部３０の他、半レンズ部３１についても用いる。
【００２２】
フランジ５０は、例えばポリカーボネート、アクリル、スチロール、ＡＢＳなどの可視光透過部材にて、射出成型にて形成されうる。ここでは、フランジ５０の長尺部５２、組付構造、および半レンズ部３１は、一体成型されているとするが、組付構造を別部材として構成して、一体成型された長尺部５２および半レンズ部３１に組み込むようにしてもよい。
【００２３】
〔位置決め構造体６０〕
位置決め構造体６０は、ネジ部６１、および締め付け部の一例としてのナット７１を有している。
位置決め構造体６０は、図３に示すように、２組の給電部２０の各々に、それぞれ２つのネジ部６１によって、給電部２０から伸びる基板（後述）を覆う円筒状の雄ネジ構造が形成されている。そして、この円筒状の雄ネジ構造は、設備の非可視側（Ｚ方向）である天井裏に向けて起立するように設けられる。部品点数を減らすために、組み合わせて用いられる２つのネジ部６１は同一の形状を有しており、例えば、各々にて４つのビス６９によって固定されている。また、対峙する２つのネジ部６１には互換性があることから、２つのネジ部６１を反転させることで、組み合わせて雄ネジ構造を形成することが可能である。２つのネジ部６１が反転して組み込まれることから、ビス６９の締め付け方向は、左右（周方向の対応する位置）にて反対方向となっている。通常、円筒状の雄ネジ構造を１本の部品で作ると、金型との関係で、型に対して捻りながら部品を取り出すことが必要となる。しかしながら、円筒状の雄ネジ構造をフランジ５０の分割方向と直交する方向で縦に分割することで、成型に要する手間を軽減できる。なお、雄ネジ構造は、フランジ５０の分割方向と交差する方向で縦に分割されてもよい。
【００２４】
また、第１の実施の形態におけるネジ部６１は、可視光透過部材で形成したフランジ５０とは異なり、可視光を透過しない不透明樹脂などの不透明部材によって形成されている。不透明部材を用いることで外からの光を遮断し、２つのネジ部６１によって形成される雄ネジ構造の内部を見え難くしている。
【００２５】
図５（ｂ）には、個々のネジ部６１の構成が示されている。図５（ｂ）に示すように、ネジ部６１は、ネジ切り部６２と、平面部６３と、平面部６３から延びる嵌合部６４とを有している。また、分割された雄ネジ構造を組み立てて固定するためのネジ切り６５と、ねじ穴６６とを有している。更に、同軸ケーブル４０を通過させ固定するためのケーブルガイド溝６７を有している。
【００２６】
ネジ切り部６２は、二条ネジ構造を有している。二条ネジは、ネジ山を形成する螺旋部を２列、存在させ、ネジが一回転でピッチの２倍分、移動するネジである。一条ネジ構造とすると、雄ネジ構造を２つに分割した場合に、互いのピッチがずれることから、共通の分割部品を合わせてもネジの山と山、谷と谷とが一致せず、分割部品として共通の部品を採用することができない。しかしながら、二条ネジ構造を採用することで、左右対称とすることができ、共通のネジ部６１を合わせて雄ネジ構造を採用した場合でも、２つのネジ山の１つは連続させることが可能となり、雄ネジ構造としての機能を実現することができる。また、ネジ部６１を一つの金型で制作することができるため、型代費用の発生を抑えられるとともに、高い生産性で生産することも可能となる。
【００２７】
また、第１の実施の形態では、ネジ部６１にて、ネジの一部が二条ネジ構造を有しない平面部６３を、２面、形成している。ネジ切り部６２の間を平面とすることで、ネジ部６１の形成に際して用いられる金型を単純化させている。すなわち、ネジ切り部６２を分割部分まで形成すると、その分割部分のネジの端が急峻となり、これを形成しようとすると抜きの型が複雑となる。そこで、平面部６３を設けることで、金型の複雑化を回避した。また、平面部６３に製品の銘板を取り付けることもできる。またネジ部６１は、平面部６３に連続する位置に嵌合部６４が設けられている。図５（ｂ）では凸形状が示されているが、図３に示すように、凸形状に嵌合する相手側は凹形状となっている。これにより、嵌合時に長手方向へのずれをなくすことが出来、ナット７１でスムーズに締め付けをすることが可能となる。なお、この平面部６３は必ずしも平面である必要はなく、例えば曲面であってもよい。
【００２８】
位置決め構造体６０のナット７１は、２つのネジ部６１によって形成される雄ネジ構造に非可視側からねじ込まれ、締め付けられることで、天井１００の裏側（非可視側）からアンテナ構造体１を固定する。第１の実施の形態が適用されるナット７１は、図２および図５（ｃ）に示すように、内側に雌ネジ７６を有する小外径部７２と、内部７７が袋状である大外径部７３と、大外径部７３の端部に形成される円環状の底面７４とを有している。小外径部７２と大外径部７３との間にはリブ７５が設けられている。ナット７１を締め付ける際、ユーザはリブ７５に指をかけることで、締め付けが容易となる。
【００２９】
第１の実施の形態におけるナット７１は、可視光透過部材で形成したフランジ５０とは異なり、可視光を透過し難い不透明樹脂などの不透明部材によって形成されている。
【００３０】
ここで、通常のネジとナットとの構造では、ネジ切りのなされている部分までしか締め付けることができない。しかしながら、第１の実施の形態におけるナット７１では、内部７７を袋状としていることで、ナット７１の底面７４が、天井１００などの設備の裏面に押し当てられるまで締め付けることができるため、厚さの薄い天井板等にも確実に固定することができる。このとき、給電部２０は、袋状である内部７７に被さる。この給電部２０を覆うナット７１の内部７７が袋状となっていることで、例えば天井１００の裏側である非可視側からの光が天井１００の可視側に漏れ難い。
【００３１】
〔給電部２０〕
次に、第１の実施の形態が適用される給電部２０について説明する。第１の実施の形態では、複数のアンテナ１２の個々のアンテナ１２から延伸し、この個々のアンテナ１２に対して給電するための給電部材である同軸ケーブル４０が接続される複数の給電部２０を有している。
図４に示すように、個々の給電部２０は、同軸ケーブル４０が接続される給電基板２１を有しており、アンテナ部１０の接点１３をフランジ５０の押圧面５３によって給電基板２１に押圧している。給電基板２１は、例えば、ＦＲ−４（Flame Retardant-4）やＣＥＭ−３（Composite epoxy material-3）などのガラスエポキシ（ガラエポ）素材の基板上であってアンテナ部１０の接点１３と対峙する面に、例えば銅によってパターンが形成されている。この給電基板２１は、中央に給電基板アンテナ給電部２１ａと、給電基板アンテナ給電部２１ａの周囲に給電基板アンテナ給電部２１ａとは絶縁された給電基板ＧＮＤ部２１ｂとが形成されている。そして、給電基板２１上の中央に設けられた給電基板アンテナ給電部２１ａと同軸ケーブル４０の芯線４１とが半田接合され、給電基板２１上の給電基板ＧＮＤ部２１ｂと同軸ケーブル４０の外導体４２とが半田接合されている。
【００３２】
給電部２０の組み立てでは、同軸ケーブル４０が半田付けされた給電基板２１の給電基板アンテナ給電部２１ａと給電基板ＧＮＤ部２１ｂとを、アンテナ部１０の接点１３に対峙させ、２つのフランジ５０にて押し当てる。そして、一方のフランジ５０のネジ締め付け孔５６にネジ５８を通し、他方のフランジ５０のネジ切り孔５７にねじ込むことで、給電基板２１とアンテナ部１０とを２つのフランジ５０に挟み込む。このとき、アンテナ部１０は、接点１３だけではなく、フィルム１１の上端部領域１１ａも２つのフランジ５０に挟まれ、アンテナ部１０の基材となるフィルム１１の姿勢が良好に保たれる。なお、２つのフランジ５０が重ね合わされた長尺部５２の一端側と他端側とでは、ネジ５８を通す方向が逆となる。
また、このように給電基板２１を２つのフランジ５０にて押し当てる構造とすることで、別途押し当てる部材を必要とせずに給電基板２１とアンテナ部１０の接点１３を押圧し、確実に接続できるようにする。そして、給電部２０は、アンテナ部１０より非可視側に配置されることになる。
【００３３】
〔レンズ部３０〕
図６（ａ）は、フランジ５０における半レンズ部３１の側面を示している。つまり、２つ（一対）のフランジ５０が合わせられる半レンズ部３１の対峙面５１を示している。そして、フランジ５０の半レンズ部３１は、図１（ａ）、（ｂ）に示したように、２つ（一対）のフランジ５０を合わせた際に、この対峙面５１を断面とする回転体となってレンズ部３０を構成する。
【００３４】
半レンズ部３１は、前述したように、２つの半凹レンズ（半凹レンズ３２、半凹レンズ３３）を備えている。そして、２つの半凹レンズ（半凹レンズ３２、半凹レンズ３３）の間は、空洞になっている。
【００３５】
半凹レンズ３２は、一方の面（Ｚ方向）が平坦で、他方の面（−Ｚ方向）が凹状になった片凹レンズである。一方、半凹レンズ３３は、両面が凹状になった両凹レンズである。つまり、半凹レンズ３３は、中央に凹面（α）を有し、その周りが階段状になった一方の面（β）と、凹面（γ）を有する他方の面とで構成されている。この階段状の面（β）は、図６（ａ）の左側に示すように、破線で示す平坦な面（δ）を、予め定められた間隔の同心円の円筒で分割して、他方の面である凹面（γ）に沿って凹面（γ）に近づける（オフセットする）ことで構成されている。このように平坦な面（δ）を面（β）のように階段状にすることで、厚さ（樹脂の厚み）が大きく異ならないようになる。よって、射出成型などによるフランジ５０の形成がしやすくなる。また、厚さが大きく異なる部分を通して見ると像に歪みが生じるが、厚さが大きく異ならないようにすることで像の歪みが低減される。さらに、斜め方向から眺めても、レンズの縁辺の影響がなく像が見られる。なお、階段状の面（β）の角の部分に丸みを設けると、その部分が凸レンズとして働き、凹レンズとしての機能が損なわれる恐れがある。つまり、階段状の面（β）はＸ方向の面とＺ方向の面とで構成されていることがよい。
【００３６】
なお、第１の実施の形態において、フランジ５０の長尺部５２の厚さ（対峙面５１の幅）は約３ｍｍとしている。この厚さが厚すぎると透過性が低下し、この厚さが薄すぎるとフィルム１１を安定して固定できない。この厚さを適正に設定することにより、透過性を保ちつつ、フィルム１１を安定して固定することができる。そこで、半レンズ部３１の厚さも約３ｍｍとなるように、階段状の面（β）を設けている。
【００３７】
図６（ｂ）、（ｃ）では、アンテナ構造体１を取り付けるために天井１００に設けた貫通孔１１０（左側）、および貫通孔１１０にアンテナ構造体１を取り付けた状態（右側）を示している。図６（ｂ）に示すように、レンズ部３０を備えるフランジ５０（ｗ  ３０）を通して天井１００を見ることにより、アンテナ構造体１を取り付けるために天井１００に設けられた貫通孔１１０および貫通孔１１０内に設けられた給電部２０が小さく見える。これに対して、図６（ｃ）に示すように、レンズ部３０を備えない場合には、貫通孔１１０および給電部２０がそのままの大きさで見えてしまう。このように、フランジ５０がレンズ部３０を備えることで、可視側から見た場合、天井１００に設けた貫通孔１１０が見えにくくなる。また、給電部２０を貫通孔１１０の内部に配置することにより、可視側からは、貫通孔１１０とともに、給電部２０も見えない様にしている。
【００３８】
前述したように、ネジ部６１と同様にナット７１に不透明部材を用いることで、外から（例えば天井１００の裏側から）の光の透過を抑制（または遮断）して、アンテナ部１０側（例えば天井１００の表側）に光が漏れないようにし、ナット７１の内部７７に含まれる構造物を見えにくくしている。このようにすることで、可視側からの視覚的外観をより良好とすることができる。
【００３９】
図７は、レンズ部３０を用いることにより天井１００に設けた貫通孔１１０や給電部２０が小さく見えることを説明する図である。
天井１００には、貫通孔１１０が設けられている。そして、凹レンズ２００が、天井１００より可視側（−Ｚ方向）の貫通孔１１０に対向する位置に設けられているとする。なお、凹レンズ２００は、レンズ部３０を等価的に表す凹レンズである。そして、この貫通孔１１０を、可視側（−Ｚ方向）から凹レンズ２００を介して眺めるとする。ここで、貫通孔１１０の径は、天井１００を横切る方向（Ｚ方向）に同じであるとする。つまり、貫通孔１１０の径は、可視側（端１１０ａ）から非可視側（端１１０ｂ）にかけて同じであるとする。つまり、貫通孔１１０の側面１１０ｃは、円筒状である。
【００４０】
ここで、凹レンズ２００の焦点Ｆが天井１００より可視側（−Ｚ方向側）にあるとする。すると、貫通孔１１０の可視側の端１１０ａの虚像１１０ａ′は、焦点Ｆと中心Ｏとの間に形成される。そして、貫通孔１１０の非可視側の端１１０ｂの虚像１１０ｂ′は、虚像１１０ａ′と焦点Ｆとの間に形成される。そして、虚像１１０ａ′が虚像１１０ｂ′に比べて大きくなる。つまり、凹レンズ２００を介して貫通孔１１０を見ると、非可視側の径（虚像１１０ｂ′）が可視側の径（虚像１１０ａ′）より小さく見える。つまり、虚像１１０ａ′と虚像１１０ｂ′との間に、貫通孔１１０の側面１１０ｃが見えることになる。つまり、貫通孔１１０は、円錐状に見えることになる。
【００４１】
よって、貫通孔１１０の可視側の端１１０ａの像が可視側から見えにくくなるように、凹レンズ２００の焦点Ｆおよび凹レンズ２００の位置を設定すればよい。このようにすれば、貫通孔１１０及び貫通孔１１０の内部に設けられた給電部２０の部分に、天井１００の色及び模様が広がって見える。
なお、貫通孔１１０の内部に給電部２０などを設けない場合であって、貫通孔１１０の側面が見えてもよい場合には、貫通孔１１０の非可視側の端１１０ｂが見えにくくなるようにすればよい。
【００４２】
また、凹レンズ２００は天井１００より可視側（−Ｚ方向）にあるとしたが、凹レンズ２００を貫通孔１１０の内部に設けてもよい。貫通孔１１０の側面が見えてもよい場合には、有効である。なお、凹レンズ２００を天井１００より可視側（−Ｚ方向）に設けると、凹レンズ２００の中心Ｏと貫通孔１１０との間の距離を稼ぐことができ、凹レンズとして働く凹レンズ２００の面積が大きくなり、凹レンズ２００の設計が容易になる。
【００４３】
上記では、凹レンズ２００の焦点Ｆが天井１００より可視側（−Ｚ方向）にあるとして説明したが、凹レンズ２００の焦点Ｆは、天井１００より非可視側（Ｚ方向）にあってもよく、天井１００の断面（表面と裏面との間）にあるようにしてもよい。なお、凹レンズ２００は、レンズ部３０の等価的な凹レンズである。凹レンズ２００は、半凹レンズ３２、３３のそれぞれから構成される２つの凹レンズで構成してもよく、１つの凹レンズや３以上の凹レンズで構成してもよい。
【００４４】
〔位置決め構造体６０の組み立て〕
前述の図４を用いて説明したように、給電部２０をフランジ５０によって組み立てた後、図５（ｂ）に示すネジ部６１を用いて、図３に示すような構造体を組み立てる。より具体的には、フィルム１１を挟んで２つのフランジ５０を重ね合わせた方向（Ｙ方向）とは直交する方向（Ｘ方向）に、一方のネジ部６１を押し当て、Ｚ方向に上下方向を反転させた他方のネジ部６１を押し当てる。図示しないが、ネジ部６１の内部には、フランジ５０の凹部５４および凸部５５に合わせて切り込みが形成されている。そして、一方のネジ部６１の嵌合部６４の凸形状と、他方のネジ部６１の嵌合部６４の凹形状とが噛み合い、図３に示すように組み立てられる。ネジ部６１の内部の切り込みと、フランジ５０の凹部５４および凸部５５とによって、フランジ５０とネジ部６１との位置が一意に決定され、組み合わさる。このとき、同軸ケーブル４０は、図５（ｂ）に示すケーブルガイド溝６７に案内される。その後、ビス６９を、１つの給電部２０に対して４本ずつ、Ｙ方向にて方向を変えて挿入し、締め付けることで、位置決め構造体６０のネジ部６１と、アンテナ部１０と給電部２０と同軸ケーブル４０とがフランジ５０と一体的に構成（一体化）されて、図３に示すような一つの構造物として形成される。
【００４５】
〔天井１００への取り付け〕
例として天井１００にアンテナ構造体１を取り付ける場合を説明する。
天井１００には、フランジ５０の組付構造（押圧面５３、凹部５４、凸部５５）、および位置決め構造体６０のネジ部６１が通るとともに、フランジ５０の半レンズ部３１の幅広面３２ａが通らない、という寸法範囲の貫通孔１１０があけられている。
そして、図３に示した構造物の同軸ケーブル４０、および位置決め構造体６０のネジ部６１が可視側から貫通孔１１０に通される。そして、天井１００の上方（天井裏）では、ネジ部６１にナット７１がねじ込まれ、ナット７１の底面７４（図５（ｃ）参照）が、天井１００の裏面に押し当てられて締め付けられる。これによって、天井１００の可視側からフランジ５０の長尺部５２の上面５２ａおよびレンズ部３０の幅広面３２ａが天井１００に当接し、天井１００の非可視側からナット７１の底面７４が押し当てられ、アンテナ部１０は、天井１００に固定される。
【００４６】
以上説明したように、天井１００の可視側からは、アンテナ構造体１を構成するアンテナ部１０と、フランジ５０（フランジ５０の長尺部５２および半レンズ部３１）だけが現われ、それ以外の構造体は表面に現われない。アンテナ部１０の基材であるフィルム１１は、可視光の透過性が高い透明な素材が使用され、アンテナ１２は可視光の透過性が高くなるように透明導電体で形成されており、アンテナ部１０は全体として光透過性が高い。更に加えて、可視側に現われるフランジ５０は、可視光を透過する、すなわち光透過性を有する可視光透過部材によって形成されている。また、ナット７１は、前述のように非透過性の部材であり、ナット７１の内部７７が袋状であることから、天井１００の非可視側から可視側に光が漏れることが抑制される。このように、ユーザから見える露出部分の構造物は全て透明であるとともに、アンテナ構造体１を取り付けるために天井１００に設けた貫通孔１１０や給電部２０は、フランジ５０のレンズ部３０により見えにくくなっている。よって、アンテナ構造体１を環境に溶け込ますことが可能となる。
【００４７】
２つ（一対）のフランジ５０とするとともに、半レンズ部３１を、２つの半凹レンズ３２、３３で構成して中空とすることで、フランジ５０を射出成型で形成する際に必要となる型が、フランジ５０を挟み込む２つ（上下型）で済む。これにより、フランジ５０の製造が容易になる。
【００４８】
〔変形例〕
図８は、アンテナ構造体１の変形例を示した図である。図８（ａ）は、４つのアンテナ部１０を備える場合、図８（ｂ）は、１つのアンテナ部１０を備える場合、図８（ｃ）は、アンテナ部１０の大きさが異なる場合である。
図８（ａ）に示すアンテナ構造体２は、アンテナ部１０に４つのアンテナ１２が設けられ、位置決め構造体６０のネジ部６１およびナット７１も４つ、備えられている。フランジ５０は、図５（ａ）の変形として、４つのレンズ部３０とそれらの間を接続する長尺部５２を備えている。このように、第１の実施の形態では、アンテナ１２の個数は、２つのみならず、４つ、６つなど、複数個のアンテナ１２を一つの構造体に形成することが可能である。そして、これらのように構成した場合でも、フランジ５０に可視光透過部材を用い、天井１００の可視側から見えるものは可視光透過とすることで、天井１００にアンテナ構造体２を取り付けた場合であっても、環境に溶け込ませることが可能となる。また、４つ、６つなど、数が増えた場合でも、フランジ５０の長尺部５２の側面を含む対峙面５１によって、アンテナ部１０のフィルム１１を挟み込み、フィルム１１を伸ばした状態で保持することができる。なお、２つのアンテナ１２に対応するフランジ５０を２個用いてもよい。
【００４９】
図８（ｂ）に示すアンテナ構造体３は、１つの構造体に形成されるアンテナ１２の個数が１つである。このように、第１の実施の形態では、アンテナ１２の個数は複数個とせず、単一のアンテナ１２と、ネジ部６１およびナット７１が単一の位置決め構造体６０を用いている。そして、フランジ５０は、１つのレンズ部３０を備えている。なお、長尺部５２を備えていない。かかる場合でも、フランジ５０に可視光透過部材を用いることで、天井１００にアンテナ構造体３を取り付けた場合であっても、構造体の取り付けに伴いユーザに生じ得る違和感を軽減できる。
なお、ここで示したフランジ５０を、複数のアンテナ１２を有するアンテナ構造体１に適用してもよい。この場合は、アンテナ１２毎にレンズ部３０を備えたフランジ５０を設けることになる。このようにすることで、用いるアンテナ１２の個数に対応するフランジ５０を設けることを要しない。
【００５０】
図８（ｃ）に示すアンテナ構造体４は、複数のアンテナ１２のうち隣り合う２つのアンテナ１２によって形成される距離ｄが、図１に示すアンテナ構造体１に比べて短いことに特徴がある。例えば、アンテナ１２の中心のピッチが、アンテナ構造体１で約２００ｍｍであるが、アンテナ構造体４ではアンテナ１２の中心のピッチ（距離ｄ）が約７０ｍｍと短い。ここでも、フランジ５０には可視光透過部材を採用し、天井１００の可視側からの視認性を低くして、環境への違和感を軽減している。
【００５１】
［第２の実施の形態］
第１の実施の形態では、２つの半凹レンズ（半凹レンズ３２、３３）から構成されるレンズ部３０を用いた。第２の実施の形態では、凹レンズとして機能するフレネルレンズを備えるレンズ部（後述する図９（ａ）、（ｂ）に示すレンズ部３５）を用いる。
【００５２】
図９は、第２の実施の形態が適用されるアンテナ構造体５の構成を示した斜視図である。図９（ａ）は、アンテナ構造体５の構成、図９（ｂ）は、設備の一例である天井１００にアンテナ構造体５を取り付けた状態を説明するための図である。
【００５３】
図９（ａ）に示すように、第２の実施の形態が適用されるアンテナ構造体５は、第１の実施の形態が適用されるアンテナ構造体１と同様に、高周波回路が形成されたアンテナ部１０と、アンテナ部１０に対して給電するための同軸ケーブル４０が接続される給電部２０とを備えている。そして、アンテナ構造体５は、アンテナ部１０や給電部２０を、天井１００などの設備に位置決めするためのフランジ５０および位置決め構造体６０を備えている。フランジ５０は、凹レンズとして機能するフレネルレンズで構成されたレンズ部３５を備えている。フランジ５０は、可視光透過部材で構成されている。そして、アンテナ構造体５は、天井１００に設けられた貫通孔（図１０（ｂ）、（ｃ）参照の貫通孔１１０）により天井１００に取り付けられている。
【００５４】
なお、図９（ａ）において、レンズ部３５は、図９（ａ）に見える部分に対してアンテナ部１０を対称面とする構造体がアンテナ部１０の裏面側に構成されている。つまり、レンズ部３５は、アンテナ部１０により分割されている。なお、アンテナ部１０は、可視光透過部材で構成されているので、レンズ部３５は、全体として凹レンズとして機能するフレネルレンズとなる。
【００５５】
アンテナ部１０、給電部２０は、第１の実施の形態と同様である。また、レンズ部（図９（ａ）に示すレンズ部３５）を除くフランジ５０も、第１の実施の形態と同様である。よって、同様の部分には、同じ符号を付して説明を省略する。
【００５６】
そして、図９（ｂ）に示すように、天井１００の下方（居住スペース）である可視側から、天井１００に取り付けられたアンテナ構造体５を眺めると、アンテナ部１０とフランジ５０の可視側部分のみが見えるようになっている。そして、可視光透過部材で構成されたフランジ５０を介して貫通孔１１０の部分を眺めても、フランジ５０に設けられたレンズ部３５により貫通孔１１０の部分が見えにくいようになっている。このように、ユーザから見える露出部分の構造物を全て透明とすることで、アンテナ構造体５を環境に溶け込ますことが可能となる。
【００５７】
以下では、アンテナ構造体５の第１の実施の形態におけるアンテナ構造体１と異なるフランジ５０のレンズ部３５を説明する。
図９（ａ）に示すように、２組のアンテナ１２を結ぶアンテナ部１０の延びる方向（図のＸ方向）を長手方向とする長尺状の構造物であるフランジ５０の両端部に、２つのレンズ部３５が設けられている。そして、レンズ部３５は、可視側にフレネルレンズとして機能する溝が設けられている。そして、レンズ部３５の可視側の表面（フレネルレンズの溝の頂部をつないだ面）は、フランジ５０の長尺部５２の上面５２ａと同一面となっている。
【００５８】
〔レンズ部３５〕
図１０は、フランジ５０におけるレンズ部３５の構成及びレンズ部３５の作用を説明する図である。図１０（ａ）は、レンズ部３５の構成、図１０（ｂ）は、レンズ部３５を備える場合（ｗ  ３５）を説明する図、図１０（ｃ）は、レンズ部３５を備えない場合（ｗ／ｏ  ３５）を説明する図である。なお、図１０（ｃ）は、図６（ｃ）と同じである。
図１０（ａ）は、フランジ５０における半レンズ部３６の側面を示している。つまり、第１の実施の形態と同様に、アンテナ構造体５は、２つ（一対）のフランジ５０を備えている。そして、個々のフランジ５０は、半レンズ部３６を備えている。半レンズ部３６が合わせられてレンズ部３５が構成される。つまり、図１０（ａ）は、２つ（一対）のフランジ５０が合わせられる半レンズ部３６の対峙面５１を示している。そして、フランジ５０のレンズ部３５は、２つ（一対）のフランジ５０を合わせた際に、この対峙面５１を断面とする回転体となるように構成されている。
【００５９】
そして、レンズ部３５は、可視側（−Ｚ方向）にフレネルレンズとして機能するための溝が設けられている。この溝は、一方の面を平坦とし、他方の面を凹状にした凹レンズを厚さ方向に等間隔の切断面で切断して、予め定められた厚さになるように、凹状の表面をシフトさせることで構成されている。なお、凹レンズの形状は、焦点距離などにより任意に設定可能である。また、フレネルレンズとして機能するための溝は、上記の凹レンズを等間隔の同心円となる円筒を切断面として切断して、予め定められた厚さになるように、凹状の表面をシフトさせることで構成してもよい。また、他の方法で構成してもよい。なお、フレネルレンズとして機能する溝を、目視で識別できないほど細かくすれば、アンテナ構造体５を環境により溶け込ますことが可能となる。
【００６０】
図１０（ｂ）、（ｃ）では、アンテナ構造体５を取り付けるために天井１００に設けた貫通孔１１０（左側）、および貫通孔１１０にフランジ５０を取り付けた状態（右側）を示している。図１０（ｂ）に示すように、レンズ部３５を通して天井１００を見ることにより、アンテナ構造体５を取り付けるために天井１００に設けられた貫通孔１１０および貫通孔１１０内に設けられた給電部２０が小さく見える。これに対して、図１０（ｃ）に示すように、レンズ部３５を備えない場合には、貫通孔１１０がそのままの大きさで見えてしまう。このように、フランジ５０がレンズ部３５を備えることで、可視側から見た場合、天井１００に設けた貫通孔１１０が見えにくくなる。また、給電部２０を貫通孔１１０の内部に配置することにより、可視側からは、貫通孔１１０とともに、給電部２０も可視側からは見えにくくしている。
【００６１】
第２の実施の形態に、第１の実施の形態の図８（ａ）、（ｂ）及び（ｃ）に示した変形例を適用してもよい。
【００６２】
なお、レンズ部３５をフレネルレンズとしたことで、フランジ５０を射出成型で形成する際に必要となる型が、フランジ５０を挟み込む２つの型に加えて、フレネルレンズとして機能する溝を形成する型との３方向の型が必要となる。しかし、フレネルレンズとしたレンズ部３５を用いることで、第１の実施の形態におけるレンズ部３０に比べて、可視側に飛び出す部分が小さくなる（薄くなる）。
【００６３】
また、フランジ５０は、長尺部５２、組付構造、およびレンズ部３５が一体成型されているとするが、組付構造を別部材として構成して、一体成型された長尺部５２およびレンズ部３５に組み込むようにしてもよい。このとき、レンズ部３５は、フレネルレンズを可視側及び非可視側の両側に設けてもよく、可視側に設けず非可視側に設けてもよい。
【００６４】
［第３の実施の形態］
第１の実施の形態および第２の実施の形態では、透明導電体を備える構造体をアンテナ構造体として説明した。
第３の実施の形態では、透明導電体を備える構造体を電波遮蔽構造体としている。
【００６５】
図１１は、第３の実施の形態が適用される電波遮蔽構造体６の構成を示した斜視図である。図１１（ａ）は、電波遮蔽構造体６の構成、図１１（ｂ）は、設備の一例である天井１００に電波遮蔽構造体６を取り付けた状態を説明するための図である。図１１（ａ）に示しように、第１の実施の形態におけるアンテナ構造体１において、アンテナ部１０が電波遮蔽部８０に置き換えられている。
【００６６】
図１１（ａ）に示すように、第３の実施の形態が適用される電波遮蔽構造体６は、第１の実施の形態が適用されるアンテナ構造体１のアンテナ部１０と同様に、例えばフレキシブルプリント基板の一つである電波遮蔽部８０と、電波遮蔽部８０に対して給電するための給電部材の一つである同軸ケーブル４０が接続される給電部２０とを備えている。そして、電波遮蔽構造体６は、電波遮蔽部８０や給電部２０を、天井１００などの設備に位置決めするためのフランジ５０および位置決め構造体６０を備えている。フランジ５０は、透明な部材で構成されている。そして、電波遮蔽構造体６は、天井１００に設けられた貫通孔（図６（ｂ）、（ｃ）参照）により天井１００に取り付けられている。
【００６７】
給電部２０およびフランジ５０は、第１の実施の形態と同様であるので、同じ符号を付して説明を省略する。
【００６８】
そして、図１１（ｂ）に示すように、天井１００の下方（居住スペース）である可視側から、天井１００に取り付けられた電波遮蔽構造体６を眺めると、電波遮蔽部８０とフランジ５０の可視側部分のみが見えるようになっている。さらに、透明な部材で構成されたフランジ５０を介して、貫通孔１１０の部分を眺めても、フランジ５０に設けられたレンズ部（後述するレンズ部５８）により貫通孔１１０の部分が見えにくいようになっている。このように、ユーザから見える露出部分の構造物を全て透明とすることで、電波遮蔽構造体６を環境に溶け込ますことが可能となる。
【００６９】
以下では、第１の実施の形態におけるアンテナ構造体１と異なる電波遮蔽構造体６の電波遮蔽部８０を説明する。
〔電波遮蔽部８０〕
電波遮蔽部８０は、フィルム状に構成することが可能であり、例えばＰＥＴ樹脂などの可視光を透過する光透過性の高い透明な樹脂製素材からなるフィルム８１を基材としている。そして、このフィルム８１に、光透過性が高くなるように導電材（透明導電体）の材料が選定された電波遮蔽膜８２が形成されている。給電部２０を介して、電波遮蔽膜８２を例えばグランド（ＧＮＤ）に設定することで、電波遮蔽膜８２により電波が反射されることで、電波遮蔽膜８２がシールドとして機能して、電波遮蔽膜８２を通過して電波が伝搬することを遮断する。
【００７０】
なお、電波遮蔽膜８２は、ＧＮＤに設定されればよいため、給電部２０は、給電基板アンテナ給電部２１ａと給電基板ＧＮＤ部２１ｂとが分かれていることを要しない。また、同軸ケーブル４０の代わりに、外導体４２を備えないケーブルであってもよい。また、電波が遮断されるのであれば、電波遮蔽膜８２をＧＮＤに設定することを要しない。
【００７１】
さらに、電波遮蔽構造体６は、電波遮蔽膜８２を電波遮蔽に必要な面積とすればよく、図８（ａ）に示したアンテナ構造体２のように、横長に構成して、複数の位置決め構造体６０により天井１００に固定するようにしてもよい。また、電波遮蔽構造体６は、図８（ｂ）、（ｃ）のアンテナ構造体３、４のように、構成されてもよい。
【００７２】
また、フランジ５０のレンズ部３０を第２の実施の形態で説明したフレネルレンズとしたレンズ部３５としてもよい。
【００７３】
さらに、第１の実施の形態から第３の実施の形態では、レンズ部３０、３５は、凹レンズとしたが、凸レンズとしてもよい。凸レンズとして構成し、天井１００部分に対する距離や焦点距離を調整することで、貫通孔１１０がぼやけて見られるようにすることで、貫通孔１１０や給電部２０が見えにくくなるように構成してもよい。
【００７４】
以上において、透明導電体を備える構造体として、アンテナ構造体１〜５、および電波遮蔽構造体６を説明したが、透明導電体を備える他の構造体として構成してもよい。
また、第１の実施の形態から第３の実施の形態では、アンテナ構造体１〜５および電波遮蔽構造体６を設備の一例として天井１００に取り付けることで説明したが、垂直壁などの他の設備に取り付けることも可能である。かかる場合には、アンテナ１２または電波遮蔽膜８２が向く面が可視側、その可視側と反対側の面が非可視側となる。
【００７５】
以上、第１の実施の形態から第３の実施の形態を説明したが、本発明の趣旨に反しない限りにおいて様々な変形を行っても構わない。
【符号の説明】
【００７６】
１、２、３、４、５…アンテナ構造体、６…電波遮蔽構造体、１０…アンテナ部、１１、８１…フィルム、１２…アンテナ、２０…給電部、２１…給電基板、３０、３５…レンズ部、３１、３６…半レンズ部、３２、３３…半凹レンズ、３２ａ…幅広面、４０…同軸ケーブル、５０…フランジ、５１…対峙面、５２…長尺部、６０…位置決め構造体、６１…ネジ部、７１…ナット、８０…電波遮蔽部、８２…電波遮蔽膜、１００…天井、１１０…貫通孔、２００…凹レンズ
【図１】
2019043756.tif 000003
【図２】
2019043756.tif 000004
【図３】
2019043756.tif 000005
【図４】
2019043756.tif 000006
【図５】
2019043756.tif 000007
【図６】
2019043756.tif 000008
【図７】
2019043756.tif 000009
【図８】
2019043756.tif 000010
【図９】
2019043756.tif 000011
【図１０】
2019043756.tif 000012
【図１１】
2019043756.tif 000013
【国際調査報告】
2019043756.tif 000014
2019043756.tif 000015